(57)【要約】      （修正有）【課題】着用時において着用者の動作の動きになじみ、動きの妨げとならないような、形状および機能を有する巻ズボンの提供。【解決手段】右身頃部１２と左身頃部１４とから構成され、左身頃部１４は右身頃部１２と面対称の形状を有し、左身頃部１４と右身頃部１２とが互いに面対称に配され、右身頃部１２の切欠き２４の縁部と、左身頃部１４の切欠き２６の縁部とが切欠き２４，２６の縁に沿って接合されてズボンの股部が形成され、右前身頃１６がウエストの右側面に巻き回され、左前身頃２０がウエストの右側面に巻き回され、右前身頃１６の上縁部のウエスト右側面がわ端部３４と左前身頃２０の上縁部のウエスト左側面がわ端部４０に設けられた係止手段で係止可能とされ、右後身頃１８の上縁部のウエスト右側面がわ終端部４４に中央係合部４６が備えられ、左後身頃の上縁部のウエスト左側面がわ終端部４８に中央被係合部５０が備えられている。【選択図】図１
2005220470.tif 000002
【特許請求の範囲】
【請求項１】
着用者のウエスト右前部から右腿前がわにかけて覆う右前身頃（１６）及び着用者のウエスト右後部から右腿後がわを覆う右後身頃（１８）とから成る右身頃部（１２）と、着用者のウエスト左前部から左腿前がわにかけて覆う左前身頃（２０）及び着用者のウエスト左後部から左腿後がわを覆う左後身頃（２２）とから成る左身頃部（１４）と、から構成され、
右前身頃（１６）と右後身頃（１８）とが着用者の右腿内側に対応する部位（２６）で連接し、右身頃部（１２）の上縁部略中央に略Ｕ字形の切欠き（２４）が形成され、
左身頃部（１４）は右身頃部（１２）と面対称の形状を有し、
左身頃部（１４）と右身頃部（１２）とが互いに面対称に配され、右身頃部（１２）の切欠き（２４）の縁部と、左身頃部（１４）の切欠き（２６）の縁部とが切欠き（２４，２６）の縁に沿って接合されてズボンの股部が形成され、
右前身頃（１６）がウエストの右側面に巻き回され、左前身頃（２０）がウエストの右側面に巻き回され、右前身頃（１６）の上縁部のウエスト右側面がわ端部（３４）と左前身頃（２０）の上縁部のウエスト左側面がわ端部（４０）に設けられた係止手段で係止可能とされ、
右後身頃（１８）の上縁部のウエスト右側面がわ終端部（４４）に中央係合部（４６）が備えられ、左後身頃の上縁部のウエスト左側面がわ終端部（４８）に中央被係合部（５０）が備えられ、
右前身頃（１６）を覆いつつ右後身頃（１８）がウエストの右側面に巻き回され、左前身頃（２０）を覆いつつ左後身頃（２２）がウエストの左側面に巻き回されて、右後身頃（１８）の上縁部のウエスト右側面がわ終端部（４４）と左後身頃（２２）の上縁部のウエスト左側面がわ終端部（４８）とが着用者の胴前部で面接し、中央係合部（４６）及び中央被係合部（５０）が係合可能とされた、巻きズボン。
【請求項２】
前記係止手段が、
着用者のウエストに巻き回される帯状の係止部材（３１）を備え、
係止部材（３１）が右端部に右係合部（３２）を有し、左端部に左係合部（３８）を有し、
右前身頃（１６）が上縁部のウエスト右側面がわ端部（３４）に右被係合部（３６）を有し、
左前身頃（２０）が上縁部のウエスト左側面がわ端部（４０）に左被係合部（４２）を有し、
右前身頃（１６）が胴前部からウエストの右側面に巻き回され、右係合部（３２）と右被係合部（３６）とが係合可能であり、左前身頃（２０）が胴前部からウエストの左側面に巻き回されて、左係合部（３８）と左被係合部（４２）とが係合可能である、請求項１記載の巻きズボン。
【請求項３】
係止部材（３１）が、前記股部の上縁部のウエスト背面内側に着脱可能に結合されている、請求項２に記載の巻きズボン。
【請求項４】
右身頃部（１２）が、右前身頃（１６）のウエスト右側面がわ端部（３４）と右腿内側に対応する部位（２８）の下端部（５２）とを結ぶ線、及び、ウエスト右側面がわ終端部（４４）と右腿内側に対応する部位（２８）の下端部（５２）とを結ぶ線がそれぞれ弧状をなす縁を形成している、請求項１乃至請求項３のいずれかに記載の巻ズボン。
【請求項５】
右後身頃（１８）から左後身頃（２２）とにわたって形成される上縁の長さが、右前身頃（１６）から左前身頃（２０）とにわたって形成される上縁の長さより、長く構成されている、請求項１乃至請求項４のいずれかに記載の巻ズボン。
【請求項６】
右係合部（３２）と右被係合部（３６）、および左係合部（３８）と左被係合部（４２）が、それぞれ一対の面ファスナーを含む、請求項１乃至請求項５のいずれかに記載の巻ズボン。
【発明の詳細な説明】
【技術分野】
【０００１】
本発明は、簡便に着脱することができるズボンに関し、詳しくは、着用者が寝たままの状態で、脚部分が着用者の脚を通さずに着用することができる構成となっている、巻ズボンに関する。
【背景技術】
【０００２】
着衣のうちズボンは、本来、両足を通す２つの筒状の脚部分と前身頃部分、後ろ身頃部分で構成されている。言い換えれば、着用に際し、立った状態、座った状態、寝た状態のいずれにおいても、足を浮かせてズボンの脚部分に通す動作を伴う着衣である。
【０００３】
このような動作は、健常者は何ら困難も感じることなく行うことができる。しかし、身体や四肢に何らかの障害を有する者や体力のない病人や老人等の、介護を必要とする者が着用する場合、着用に際し身体を動かすことは着用者にとって負担であり、また着用者に着用する際身体や足を持ち上げる労力は介護者にとって負担である。
【０００４】
上述した問題を解決するため、種々の介護用着衣が開発されている。例えば、左右の略方形状脚身からなり、前股上縫合線・後股上縫合線となる略Ｕ字形状切欠きを設け、対の脚身を重ね合せ切欠きの端縁を縫合し、各身頃の上縁にウエスト・バンドを取り付けた介護用ズボンが開示されている（特許文献１）。また、ズボンの左右身頃に開閉機能を有する部材を使用し、左右身頃２箇所の開閉により着用できるようにしたズボンが開示されている（特許文献２）。
【０００５】
しかし、特許文献1の介護用ズボンは、左右のほぼ方形状の脚身を足腰に巻き付けて着用する者であるが、脚の付け根部分に布が重なり、脚の自由な動きを妨げる場合がある。
【０００６】
また、特許文献2は、ズボンの左右身頃に開閉機能を有する部材が取り付けられ、使用に際し、この部材２を閉めることにより着用することになるが、開閉機能を有する部材が、着用者の動きの妨げとなる場合がある。
【０００７】
【特許文献１】特開平０８−１５８１２１号公報（特許請求の範囲）
【特許文献２】特開２００３−１８３９１０号公報（特許請求の範囲）
【発明の開示】
【発明が解決しようとする課題】
【０００８】
本発明者は、これら問題点に鑑み、鋭意研究を重ねた結果、着脱が簡便であり、特に介護者の必要な身体等に障害を有する者に負担なく、着用時において着用者の動作の動きになじみ、動きの妨げとならないような、形状および機能を有する巻ズボンを提供しようとする。
【課題を解決するための手段】
【０００９】
本発明の巻ズボンの要旨としては、着用者のウエスト右前部から右腿前がわにかけて覆う右前身頃１６及び着用者のウエスト右後部から右腿後がわを覆う右後身頃１８とから成る右身頃部１２と、着用者のウエスト左前部から左腿前がわにかけて覆う左前身頃２０及び着用者のウエスト左後部から左腿後がわを覆う左後身頃２２とから成る左身頃部１４と、から構成され、
右前身頃１６と右後身頃１８とが着用者の右腿内側に対応する部位２６で連接し、右身頃部１２の上縁部略中央に略Ｕ字形の切欠き２４が形成され、
左身頃部１４は右身頃部１２と面対称の形状を有し、
左身頃部１４と右身頃部１２とが互いに面対称に配され、右身頃部１２の切欠き２４の縁部と、左身頃部１４の切欠き２６の縁部とが切欠き（２４，２６）の縁に沿って接合されてズボンの股部が形成され、
右前身頃１６がウエストの右側面に巻き回され、左前身頃２０がウエストの右側面に巻き回され、右前身頃１６の上縁部のウエスト右側面がわ端部３４と左前身頃２０の上縁部のウエスト左側面がわ端部４０に設けられた係止手段で係止可能とされ、
右後身頃１８の上縁部のウエスト右側面がわ終端部４４に中央係合部４６が備えられ、左後身頃の上縁部のウエスト左側面がわ終端部４８に中央被係合部５０が備えられ、
右前身頃１６を覆いつつ右後身頃１８がウエストの右側面に巻き回され、左前身頃２０を覆いつつ左後身頃２２がウエストの左側面に巻き回されて、右後身頃１８の上縁部のウエスト右側面がわ終端部４４と左後身頃２２の上縁部のウエスト左側面がわ終端部４８とが着用者の胴前部で面接し、中央係合部４６及び中央被係合部５０が係合可能とされた、巻きズボンである。
【００１０】
係止手段は、
着用者のウエストに巻き回される帯状の係止部材３１を備え、
係止部材３１が右端部に右係合部３２を有し、左端部に左係合部３８を有し、
右前身頃１６が上縁部のウエスト右側面がわ端部３４に右被係合部３６を有し、
左前身頃２０が上縁部のウエスト左側面がわ端部４０に左被係合部４２を有し、
右前身頃１６が胴前部からウエストの右側面に巻き回され、右係合部３２と右被係合部３６とが係合可能であり、左前身頃２０が胴前部からウエストの左側面に巻き回されて、左係合部３８と左被係合部４２とが係合可能である。
【００１１】
係止部材３１は、前記股部の上縁部のウエスト背面内側に着脱可能に結合されうる。
【００１２】
右身頃部１２は、右前身頃１６のウエスト右側面がわ端部３４と右腿内側に対応する部位２８の下端部５２とを結ぶ線、及び、ウエスト右側面がわ終端部４４と右腿内側に対応する部位２８の下端部５２とを結ぶ線がそれぞれ弧状をなす縁を形成しうる。
【００１３】
また、右後身頃１８から左後身頃２２とにわたって形成される上縁の長さが、右前身頃１６から左前身頃２０とにわたって形成される上縁の長さより、長く構成されうる。
【００１４】
右係合部３２と右被係合部３６、および左係合部３８と左被係合部４２は、それぞれ一対の面ファスナーを含み得る。
【発明の効果】
【００１５】
本発明に係る巻ズボンは、特定の形状、構成を有し、設けられた係合部の位置、機能により、容易に短時間に着用することができ、特に介護を要する者の無理な姿勢や介護者の多大な労力を軽減することができる。
【００１６】
本発明に係る巻ズボンは、着脱が簡便であり、特に介護者の必要な身体等に障害を有する者に負担なく、着用時において着用者の動作の動きになじみ、動きの妨げとならないような、形状および機能を有する。
【００１７】
また、係止手段を設けることにより、前身頃はウエストに定着させたまま、後身頃のみ中央係合部と中央被係合部の結合を開放させ脱ぐことができる。あるいは逆に後身頃はウエストに定着させたまま、前身頃のみ係合部と被被係合部の結合を開放して脱ぐことができる。従って、トイレで用を足す際、着脱の必要な後身頃あるいは前身頃のみ短時間に無理なく簡便に着脱させることができる。
【００１８】
さらに、本願発明の巻ズボンは、大きくは左身頃と前身頃の２つの部分のみで構成されており、２枚の布を部分的に接合させた簡略化された形状を呈している。従来のズボンや、介護用品に比較して、簡略な形状であり、製作も比較的簡単である。このため、着替え等に気軽に複数枚用意することができる。また、洗濯等による型くずれも少なく、形状を維持しやすい。
【発明を実施するための最良の形態】
【００１９】
本発明に係る態様を図面に基づいて詳しく説明する。本発明は、特には身体不自由者や、病弱者、老人等、衣服の着用、立居振る舞いの動作に支障を生じるために、介護を必要とする者が着用しやすいズボンの構造に関する。図１に示すように、本発明の巻ズボン１０は、大きくは、右身頃部１２と、左身頃部１４とから構成されている。具体的には、右前身頃１６及び右後身頃１８とから成る右身頃部１２と、左前身頃２０及び左後身頃２２とから成る左身頃部１４、から構成されている。右身頃部１２と左身頃部１４とは面対称の形状を有している。右身頃部１２と左身頃部１４は、それぞれに切り欠き２４，２６を有している。
【００２０】
右身頃部１２と左身頃部１４は、右前身頃１６及び右後身頃１８、および左前身頃２０と左後身頃２２は、予め別個に用意したものを、右前身頃１２と右後身頃１４とを着用者の右腿内側に対応する部位２８で連接し、左前身頃２０と左後身頃２２とを着用者の左腿内側に対応する部位３０で連接して、右身頃部１２と左身頃部１４を形成する。接合手段は、縫着、接着等限定されないが、縫着が好ましい。
【００２１】
また、右前身頃１６及び右後身頃１８、および左前身頃２０と左後身頃２２を、それぞれ着用者の腿内側に対応する部位２８、３０を共通させ一体としたものを右身頃部１２と左身頃部１４として用意してもよい。
【００２２】
右身頃部１２と左身頃部１４は互いに面対称に配され、右身頃部の切欠き２４の縁部と、左身頃部の切欠き２６の縁部とが切欠きの縁に沿って接合されてズボンの股部が形成されている。接合手段は、縫着が好ましい。切欠き２４、２６の形状は、略Ｕ字形状であるが、着用者の身体の大きさや好みにより、大きさ、形状は、種々調整しうる。
【００２３】
本発明の巻ズボンの着用の手順を、以下に示す。着用者の腰の下にズボンの後身頃を設置し、本発明の巻ズボンの股部を着用者の脚の間に合致させて設置し、右前身頃１６が、着用者のウエスト右前部から右腿前がわにかけて覆い、右後身頃１８が、着用者のウエスト右後部から右腿後がわを覆う。そして、左前身頃２０が、着用者のウエスト左前部から左腿前がわにかけて覆い、左後身頃２２が、着用者のウエスト左後部から左腿後がわを覆うこととなる。なお、この着用例は、横たわっている状態にある着用者に介護者が着用させる状況を想定したが、もちろん、立位または座位の状態での着用もでき、あるいは介護なく着用者本人が着用することも可能であることはいうまでもない。
【００２４】
上記形成された本発明の巻ズボンを着用後、着用者の身体を覆った状態に維持するために、左右前身頃を着用者のウエスト部に定着させ、さらに左右後身頃同士を着用者の腹部中央で係合させる。前身頃を着用者のウエストに定着させるため、前身頃両端部が係止手段で係止されている。また、後身頃同士を係合するために、左右後身頃に中央係合部、中央被係合部が設けられている。
【００２５】
具体的に、本発明の巻きズボンの一例を図１に示す。右前身頃１６がウエストの右側面に巻き回され、左前身頃２０がウエストの右側面に巻き回され、右前身頃１６の上縁部のウエスト右側面がわ端部３４と左前身頃２０の上縁部のウエスト左側面がわ端部４０に設けられた、係止部材３１を含む係止手段で係止可能とされている。
【００２６】
係止部材３１は、図２に示すように、基本的に帯状であり、着用者のウエストに巻き回され、その両端が左右前身頃の端部と係合する。係止部材３１は右端部に右係合部３２を、左端部に左係合部３８を有している。一方、右前身頃１６が、上縁部のウエスト右側面がわ端部３４に、右被係合部３６を有しており、左前身頃２０が上縁部のウエスト左側面がわ端部４０に左被係合部４２を有している。着用に際し、右前身頃１６が胴前部からウエストの右側面に巻き回され、右係合部３２と右被係合部３６とが係合可能であり、左前身頃２０が胴前部からウエストの左側面に巻き回されて、左係合部３８と左被係合部４２とが係合可能である。係止部材３１の幅は適宜選択しうるが、ウエストで身頃と重なる部分が嵩張って着用者の動きを阻害しないように、狭い幅の帯状であることが好ましい。例えば、１〜２ｃｍの幅が好ましい。このような態様とすることにより、前身頃は着用者のウエストに定着したまま、後身頃のみ着脱させることができ、あるいは後身頃は着用者のウエストに定着したまま、前身頃のみ着脱させることもでき、トイレ時に有用である。
【００２７】
上記係止部材３１は、股部の上縁部のウエスト背面内側に着脱可能に結合されていることが好ましい。着脱可能な結合の方法としては、１組または複数組のボタンとボタン穴、スナップ、面ファスナー等の手段が例示される。本発明の巻きズボンが前身頃と後身頃の中心がずれないように係止部材３１のウエスト背面中央にあたる部分と後身頃の股部上演部のウエスト背面内側に一対の結合手段７７があることが好ましい。
【００２８】
「係合部」「被係合部」は、1組のひも、リボン、帯であって双方に結び合わせて係合してもよい。あるいは、１組のひも、リボン、帯であって、その長手方向端部にそれぞれ設けた1組または複数組のスナップ、ボタンとボタン穴、雌雄の面ファスナー等により係合可能としてもよい。ここで、ひも、リボン、帯等を用いると、着用者の胴周りの大きさに適合して、本発明の巻ズボンを着用者の身体に無理なく適用させるように調整することができる。ひも、リボン、帯等の材質は特に限定されず、伸縮性を有する、または伸縮性を有さない、織物、編み物、不織布、撚糸等であってもよい。係合部を両端に設けたひも、リボン、帯を係止部材３１とし、前身頃両端部に被係合部としてひも、リボン、帯を設ける、またはその長手方向端部にスナップ等を設けてもよい。
【００２９】
また、係止手段の他の態様としては、例えば、後身頃のウエスト背面内側に設けた係合部と、前身頃ウエスト部端部に設けた被係合部とが、1組または複数組のスナップ、ボタンとボタン穴、雌雄の面ファスナー、または1組のひも、リボン、帯であって、双方が係合可能とする等の態様もある。
【００３０】
また、右後身頃１８の上縁部のウエスト内側、および左後身頃２２の上縁部ウエスト内側に長手方向端部に係合部３２、３８として、スナップ、ボタン、面ファスナーを有するひも、リボン、帯等を配設し、右前身頃１６の上縁部のウエスト右側面がわ端部３４、および左前身頃２０の上縁部のウエスト左側面がわ端部４０に、左被係合部４２として先の係合手段のスナップ、ボタン（またはボタン穴）、面ファスナーと1対をなすスナップ、ボタン穴（またはボタン）、面ファスナーが備えられていてもよい。これと逆に、右後身頃１８の上縁部のウエスト内側、および左後身頃２２の上縁部ウエスト内側に長手方向端部に係合部３２、３８として、スナップ、ボタン、面ファスナーを設け、右前身頃１６の上縁部のウエスト右側面がわ端部３４、および左前身頃２０の上縁部のウエスト左側面がわ端部４０に、左被係合部４２として先の係合手段のスナップ、ボタン（またはボタン穴）、面ファスナーと1対をなすスナップ、ボタン穴（またはボタン）、面ファスナーを有するひも、リボン、帯等を配設してもよい。
【００３１】
さらに、右後身頃１８の上縁部のウエスト右側面がわ終端部４４に中央係合部４６が備えられ、左後身頃の上縁部のウエスト左側面がわ終端部４８に中央被係合部５０が備えられている。
【００３２】
係合手段としての「中央係合部」「中央被係合部」は、1組のひも、リボン、帯であって双方に結び合わせて係合する。あるいは、一組のひも、リボン、帯であって、その長手方向端部にそれぞれ設けた1組または複数組のスナップ、ボタンとボタン穴、雌雄の面ファスナー等により係合可能としてもよい。ここで、ひも、リボン、帯等を用いると、着用者の胴周りの大きさに適合して、本発明の巻ズボンを着用者の身体に無理なく適用させるように調整することができる。ひも、リボン、帯等の材質は特に限定されず、伸縮性を有する、または伸縮性を有さない、織物、編み物、不織布、撚糸等であってもよい。
【００３３】
また、右後身頃１４の上縁部のウエスト右側面がわ終端部４４に中央係合部４６として、長手方向端部に、スナップ、ボタン、面ファスナーを有する、伸縮性を有するまたは伸縮性を有さないひも、リボン、帯等を配設し、左後身頃の上縁部のウエスト左側面がわ終端部４８に中央被係合部５０として、先の中央係合部４６のスナップ、ボタン（またはボタン穴）、面ファスナーと一対をなすスナップ、ボタン穴（またはボタン）、面ファスナーが備えられていてもよい。あるいは、右後身頃１４の上縁部のウエスト右側面がわ終端部４４、および左後身頃の上縁部のウエスト左側面がわ終端部４８に、一組のスナップ、ボタンとボタン穴、面ファスナーを設けて、中央係合部４６、および中央被係合部５０としてもよい。
【００３４】
上記のような、係合部３２，３８および被係合部３６，４２を設け、特には係止部材３１を介した態様で、前身頃１２をウエストに定着させ、さらに中央係合部４６および中央被係合部５０を設けることにより、図３に示すように、右前身頃１６が着用者の胴前部からウエストの右側面に、左前身頃２０が着用者のウエストの左側面にそれぞれ巻き回されて、右係合部３２と右被係合部３６と、および左係合部３８と左被係合部４２とを係合する。さらに、右後身頃１８がウエストの右側面に、前記左後身頃２２がウエストの左側面にそれぞれ右前身頃１６と左前身頃２０を覆いつつ巻き回され、右後身頃１８の上縁部のウエスト終端部４４と左後身頃２２の上縁部のウエスト終端部４８とが着用者の胴前部で対面し、中央係合部４６及び中央被係合部５０が係合される。このようにして、本発明の巻ズボンは、着用者の身体に適用され得る。
【００３５】
ここで、説明において用いる用語、「係合部」、「被係合部」は、係合部と被係合部の双方の組み合わせにより相互に係合し、着用者の身体を覆う状態で、右前身頃１６と前身頃２０とを係合させ定着させる範囲において、いずれが前身頃にあってもよい。また、説明において用いる用語、「中央係合部」、「中央被係合部」は、中央係合部と中央被係合部の双方の組み合わせにより相互に係合し、右後身頃１４が、着用者のウエスト右後部から右腿後がわを覆い、左後身頃２０が、着用者のウエスト左後部から左腿後がわを覆うこととなる状態で、右後身頃１８と左後身頃２２とのウエスト終端部同士（４４、４８）を対面させ結合させる範囲において、いずれが、右後身頃、左後身頃にあってもよい。従って、右後身頃１８に中央被係合部、左後身頃２２に中央係合部を設けてもよい。
【００３６】
上記のような係合手段を用いることにより、本発明の巻ズボンは、着用が簡便かつ短時間に行うことができる。
【００３７】
本発明の巻ズボンは、係合部がウエスト部分のみに配設されており、着用者の胴側面から腿にかけては、右前身頃１６と右後身頃１８、左前身頃２０と左後身頃２２とは互いに接合されることなく、着用者のウエストから腿にかけて重なり部分をそれぞれ有しつつ裾に向かってスリットを形成している状態である。従って、着用者が、脚を前後左右に動かす際に、本発明の巻ズボンは、前身頃と後身頃の重なり部分の面積を変動させながら、着用者の動きに添ってすそに向かって広がり、着用者の動きを阻害しない。前身頃と後身頃の重なり部分は、前身頃、後身頃の身幅の選択により、変更することができ、着用者の要求、好みに適合させうる。
【００３８】
また、本発明の巻ズボンは、図４に示すような形状が好ましい。図４は、右身頃部１６の展開図である。左身頃部１４は、右身頃部１２の面対称形であり、図面は省略する。すなわち、右前身頃１６と右後身頃１８とから成る右身頃部１２が、右前身頃１６のウエスト右側面がわ端部３４と右腿内側に対応する部位２８の下端部５２とを結ぶ線、及び、ウエスト右側面がわ終端部４４と右腿内側に対応する部位２８の下端部５２とを結ぶ線が、それぞれ弧状をなす縁を形成し得る。また、右身頃部１２と面対称形である左前身頃１４は、左前身頃２０のウエスト左側面がわ端部４０と左腿内側に対応する部位３０の下端部５４とを結ぶ線、及び、ウエスト右側面がわ終端部４４と右腿内側に対応する部位２８の下端部５２とを結ぶ線、及び、ウエスト左側面がわ終端部４８と左腿内側に対応する部位３０の下端部５４とを結ぶ線が、それぞれ弧状をなす縁を形成し得る。このような、形状とすることにより、前身頃と後身頃の重なった部分が、着用者の動きに添って、円滑に変動する。また、膝下部分が、膝上部分に比較してより開放的となっており、着用者が動こうとする意思を引き出す効果がある。さらに着用した際に、デザインに動きがあって、おしゃれである。
【００３９】
本発明の巻ズボンは、右後身頃１８と左後身頃２２にわたって形成される上縁の長さが、右前身頃１６と左前身頃２０にわたって形成される上縁の長さより、長く構成されていることが好ましい。通常、人は前に脚を繰り出して動作することが多く、前身頃は、膝が前に出やすいように、身幅を狭くしたほうが着用者が動きやすい。これに伴い、後身頃の身幅を多くとることにより、着用者側面において、前身頃に後身頃が充分重なり、着用者が動作することより、脚が露となることを防止することができる。
【００４０】
また、図５に示すように、右後身頃１８および左後身頃２２の上縁部、あるいは右前身頃１６および左前身頃２０の上縁部に、伸縮手段５６を設け、ウエストに伸縮性をもたしてもよい。図５は、後身頃に伸縮手段５６を設けた態様である。右後身頃１８と左後身頃２２との上縁部および右前身頃１６と左前身頃２０との上縁部、特には股部より左右に４〜６ｃｍ程度の区域に、伸縮手段５６を設けてもよい。具体的に伸縮性を付加させるには、ゴムテープを縫着または内蔵させる、あるいはゴム糸を縫着する等の伸縮手段５６が挙げられる。
【００４１】
本発明の巻ズボンの材質としては、特に限定されないが、綿、絹、麻、獣毛糸による天然繊維の布帛、また、ポリエステル、アクリル、ポリアミド等の合成樹脂繊維による布帛であってもよい。織物、編み物、不織布等限定されない。本発明の巻ズボンに用いる布帛の材質、色彩、厚み、および身幅や長さ等は、適宜選択しうる。
【００４２】
以上、発明の巻ズボンの態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【産業上の利用可能性】
【００４３】
本発明の巻ズボンは、着脱が簡便であり、特に介護者の必要な身体等に障害を有する者に負担なく、着用時において着用者の動作の動きになじみ、動きの妨げとならないような、形状および機能を有する。
【００４４】
さらに、身体に障害を有する者に好適に用いられる他、普段着、おしゃれ着等、その材質、色彩の選択、身幅や長さの選択により、健常者にも適用することができる。
【図面の簡単な説明】
【００４５】
【図１】図１は、本発明の巻ズボンの1実施例を示している。
【図２】図２は、本発明の巻ズボンにおける係止部材の1態様を示している。
【図３】図３は、本発明の巻ズボンを着用した場合の模式図である。
【図４】図４は、本発明の右身頃部１６の展開図である。
【図５】図５は、本発明の巻きズボンの他の実施例であり、伸縮手段を付加した態様である。
【符号の説明】
【００４６】
１０：本発明の巻ズボン
１２：右身頃部
１４：左身頃部
１６：右前身頃
１８：右後身頃
２０：左前身頃
２２：左後身頃
２４、２６：切り欠き
２８：着用者の右腿内側に対応する部位
３０：着用者の左腿内側に対応する部位
３１：係止部材
３２：右係合部
３４：右前身頃１６の上縁部のウエスト右側面がわ端部
３６：右被係合部
３８：左係合部
４０：左前身頃２０の上縁部のウエスト左側面がわ端部
４２：左被係合部
４４：右後身頃１８の上縁部のウエスト右側面がわ終端部
４６：中央係合部
４８：左後身頃２２の上縁部のウエスト左側面がわ終端部
５０：中央被係合部
５２：右腿内側に対応する部位２８の下端部
５４：左腿内側に対応する部位３０の下端部
５６：伸縮手段
７７：結合手段
【図１】
2005220470.tif 000003
【図２】
2005220470.tif 000004
【図３】
2005220470.tif 000005
【図４】
2005220470.tif 000006
【図５】
2005220470.tif 000007